(57)【要約】      （修正有）【課題】単管足場に設けられる組付性、取扱性、収納性に優れた先行手摺を提供する。【解決手段】縦パイプ１と横パイプ２，２とを縦横に直行クランプで連結してなる単管足場にあって、一対となる左右の支柱１１，１１に横方向に配設される桟１２を回動可能あるいは分離可能に連結してなる手摺１０を有すると共に、この手摺１０が一方の支柱１１の足元をこの手摺１０の面方向に折り曲げ可能にする一方で、各支柱１１の足元が横パイプ２に保持された左右の取付装置２０にそれぞれ分離可能に挿し込み連繋される先行手摺において、取付装置２０がフック部で横パイプ２に吊持される本体部に支柱１１の足元を分離可能に挿し込み連繋させるソケットを有すると共に、本体部に連設されるホルダ部が縦パイプ１の本体部における凹部からのラジアル方向への抜け出しを阻止してなる。【選択図】図２
2010024657.tif 000002
【特許請求の範囲】
【請求項１】
縦に配設される単管たる縦パイプと横に配設される単管たる横パイプとを専用連結具で連結して組み上げられる単管足場にあって、一対となる左右の支柱に横方向に配設される桟を回動可能あるいは分離可能に連結してなる手摺を有すると共に、この手摺が上記の左右の支柱のいずれか一方の支柱の足元をこの手摺の面方向に折り曲げ可能にする一方で、この手摺における上記の左右の支柱の足元を上記の横パイプに保持される左右の取付装置にそれぞれ分離可能に挿し込み連繋してなる先行手摺において、上記の取付装置が凹部に上記の縦パイプを臨在させながら上記の横パイプに沿う本体部と、この本体部の端部に一体に連設されて上記の横パイプに上方から係合して上記の本体部を上記の横パイプに吊持させるフック部と、上記の本体部に一体に連設されながら上記の凹部に臨在する上記の縦パイプを臨在させるホルダ部と、上記の本体部の端部に一体に連設されて上記の手摺における支柱の足元を分離可能に挿し込み連繋させるソケットとを有し、上記のホルダ部が補助手段の利用で上記の本体部における凹部からの上記の縦パイプのラジアル方向への抜け出しを阻止してなることを特徴とする先行手摺。
【請求項２】
上記の手摺において上記の桟の両端部が上記の左右の支柱の上端部に連結されながら伸縮不能あるいは伸縮可能とされてなる請求項１に記載の先行手摺。
【請求項３】
上記の手摺において上記の桟の両端部が上記の左右の支柱の上端部に連結されながら上記の桟の下方に中桟を有し、この中桟が伸縮可能とされながら上記の左右の支柱に回動可能に連結されてなる請求項１に記載の先行手摺。
【請求項４】
上記の手摺において上記の桟が基端を足場上の作業者に連結させる命綱の先端を移動可能に連結させてなる請求項１に記載の先行手摺。
【請求項５】
上記の手摺にあって足元がこの手摺の面方向に折り曲げ可能とされる上記の支柱において、この支柱が上端部に上記の桟を連結させる柱部と、この柱部の下端に枢着されて上記の折り曲げ可能とされる足元を形成する挿し込み部とを有してなり、この挿し込み部と上記の柱部とが定型手段で柱状に折り曲げ不能とされてなる請求項１に記載の先行手摺。
【請求項６】
上記の手摺における支柱の足元と、この足元が分離可能に挿し込み連繋される上記の取付装置における上記のソケットとの間にこのソケットからの足元の人為操作による以外の分離を阻止する連結手段が設けられてなる請求項１に記載の先行手摺。
【請求項７】
上記の取付装置において、上記の本体部が両端部に上記のフック部および上記のソケットを有すると共に、中央部に上記の縦パイプを臨在させる上記の凹部を有してなる請求項１に記載の先行手摺。
【請求項８】
上記の取付装置において、上記のホルダ部が上記の本体部におけるの上端から下端に至る任意位置に設けられてなる請求項１に記載の先行手摺。
【請求項９】
上記の取付装置において、上記の補助手段が上記のホルダ部に分離可能に圧入される楔、あるいは、螺着されるボルト、もしくは、抜け止め構造のピンからなる請求項１に記載の先行手摺。
【発明の詳細な説明】
【技術分野】
【０００１】
この発明は、先行手摺に関し、特に、単管足場に設けられる先行手摺に関する。
【背景技術】
【０００２】
建築や造船などの作業現場には、多くの場合に、仮設施設たる作業用の足場が設けられるが、足場の種類としては、枠組足場と単管足場に大別でき、枠組足場は、寸法が統一された枠体たる門形に形成の建枠を組み上げて形成され、単管足場は、任意の長さの単管を縦横に連結して形成される。
【０００３】
それゆえ、枠組足場にあっては、建枠を始めとする構成資材の寸法が統一されている分、建築の作業現場での足場の形成に向き、単管足場にあっては、自由な形状の足場を組み上げられる点で、造船などの作業現場での足場の形成に向く。
【０００４】
一方、仮設施設を設ける場合は、利用する作業者の安全が考慮され、したがって、作業用の足場にあっても、作業者の落下防止を図る目的で、作業者が命綱を利用することに加えて、安全設備としての手摺が足場に設けられる。
【０００５】
そして、この手摺は、足場の組立作業において先行される、すなわち、下段の足場において足場板が架けられて作業者の足元の安全が確保された状態で上段の足場を構成するいわゆる骨組に設けられる先行手摺とされ、この先行手摺が設けられることで、上段の足場を完成する作業者における安全性が向上される。
【０００６】
このとき、たとえば、特許文献1に開示されているように、枠組足場において、先行手摺が据え置き型とされるよりも盛り替え型とされる方が、いわゆる仮設費のコストダウンを図れる上で有利となる。
【０００７】
そして、この文献開示の先行手摺は、手摺を構成する一対となる左右の支柱における足元に取付装置を一体に有してなり、この取付装置が枠組足場を構成する門形に形成の枠体たる建枠の構成要素たる横材に連繋すると共に同じく建枠の構成要素たる支柱に連繋する。
【０００８】
それゆえ、この文献開示の提案にあっては、枠体たる門形に形成の建枠を利用して枠組足場を組み上げる際に、手摺をいわゆる先行して、すなわち、手摺を先行手摺としての上段の足場を構成する骨組みに設けることが可能になる。
【特許文献１】特許第３８９２７１０号公報(請求項１,明細書中の段落００１７，図１から図６参照)
【発明の開示】
【発明が解決しようとする課題】
【０００９】
しかしながら、上記した文献開示の提案にあっては、その利用時に、上段の足場に先行して手摺を設けられる点で基本的に不具合がある訳ではないが、その利用に実際を勘案すると、些かの不具合があると指摘される可能性がある。
【００１０】
すなわち、まず、従来から提案されている先行手摺は、枠組足場への利用に向くように形成されており、したがって、単管足場に転用できるようには形成されていない。
【００１１】
とは言え、手摺を構成する一対となる左右の支柱における足元に一体に有する取付装置を構成する各部品における相応する寸法を単管に符号するように変更すれば足りることで、その意味からは、単管足場に転用できないとは言い得ない。
【００１２】
一方、仮にそうだとしても、凡そ仮設施設を構成する仮設資材については、いわゆる手入れをしてその再利用を図るのが常態であって、足場を構成する建枠や単管および足場板はもちろんのこと、手摺にあっても同様である。
【００１３】
このことからすると、建枠や単管および足場板は、いわゆるシンプルな形状に形成されていて手入れを簡単にし、また、収納時の収まりも良くするが、上記した文献開示の手摺にあっては、一対となる左右の支柱における足元に取付装置を一体に有してなるから、手摺についての手入れが面倒になり、また、収納の際しても、取付装置を有するがゆえに納まりを悪くする不具合がある。
【００１４】
そして、この文献開示の手摺にあっては、一対となる左右の支柱における足元に取付装置を一体に有してなるから、搬送性や取扱性が低下され易くなり、これを搬送したり組み上げたりする足場鳶などの作業者にとって扱い辛くなり、また、収まりが悪い状況のまま、積み上げられて運搬されたりすると、積み重ねられたもの同士の自重などで取付装置が曲がったりして、いわゆる組付性が悪くなることも危惧される。
【００１５】
この発明は、上記した事情を鑑みて創案されたものであって、その目的とするところは、足場を組み上げる際に先行して手摺を設け得るのはもちろんのこと、その組付性や取扱性、さらには、収納性を良くして、仮設資材としての恒久的な再利用を容易に可能にして、その汎用性の向上を期待するのに最適となる先行手摺を提供することである。
【課題を解決するための手段】
【００１６】
上記した目的を達成するため、この発明による先行手摺の構成を、基本的には、縦に配設される単管たる縦パイプと横に配設される単管たる横パイプとを専用連結具で連結して組み上げられる単管足場にあって、一対となる左右の支柱に横方向に配設される桟を回動可能あるいは分離可能に連結してなる手摺を有すると共に、この手摺が上記の左右の支柱のいずれか一方の支柱の足元をこの手摺の面方向に折り曲げ可能にする一方で、この手摺における上記の左右の支柱の足元を上記の横パイプに保持される左右の取付装置にそれぞれ分離可能に挿し込み連繋してなる先行手摺において、上記の取付装置が凹部に上記の縦パイプを臨在させながら上記の横パイプに沿う本体部と、この本体部の端部に一体に連設されて上記の横パイプに上方から係合して上記の本体部を上記の横パイプに吊持させるフック部と、上記の本体部に一体に連設されながら上記の凹部に臨在する上記の縦パイプを臨在させるホルダ部と、上記の本体部の端部に一体に連設されて上記の手摺における支柱の足元を分離可能に挿し込み連繋させるソケットとを有し、上記のホルダ部が補助手段の利用で上記の本体部における凹部からの上記の縦パイプのラジアル方向への抜け出しを阻止してなるとする。
【発明の効果】
【００１７】
それゆえ、この発明にあっては、単管足場にあって、上段の足場を構成する骨組みに設けられる先行手摺が、一対となる左右の支柱における足元を足場の骨組みの構成資材たる単管に保持される取付装置に分離可能に挿し込み連繋するから、取付装置が手摺を構成する一対となる左右の支柱における足元にあらかじめ一体に設けられている場合に比較して、先行手摺における組付性や取扱性、さらには、収納性を良くする。
【００１８】
すなわち、手摺において、一対となる左右の支柱の足元に言わば余計なものを一体に有しないから、この手摺を搬送したり足場の骨組みに組み付けたりする、たとえば、足場鳶などの作業者にとって、組み付け易く、また、扱い易くなる。
【００１９】
そして、手摺において、一対となる左右の支柱の足元に取付装置を有しないから、この手摺の再利用に備えてする手入れが容易になり、また、収納の際しても、取付装置を有しないがゆえに納まりを悪くせずして収納性を良くする。
【００２０】
一方、取付装置にあっては、本体部が凹部に縦パイプを臨在させるから、この縦パイプに対して横方向に位置ずれせず、また、本体部がフック部で横パイプに吊持されるから、この横パイプに対して下降せず、それゆえ、取付装置が単管足場の所定位置に固定状態に配設され、したがって、本体部が有するソケットへの手摺における支柱の足元の挿し込み連繋を可能にする。
【００２１】
なお、手摺にあっては、一対となる左右の支柱に横方向に配設される桟を回動可能あるいは分離可能に連結してなるから、手摺において、まず、一方の支柱における足元を取付装置におけるソケットから抜き出し分離して、上段となる横パイプに保持された取付装置における相応のソケットに挿し込み連繋し、ついで、他方の支柱における足元を取付装置におけるソケットから抜き出し分離して、上段となる横パイプに保持された取付装置における相応のソケットに挿し込み連繋することで、いわゆる盛り替えを可能にし得る。
【発明を実施するための最良の形態】
【００２２】
以下に、図示した実施形態に基づいて、この発明を説明するが、この発明による先行手摺は、任意の長さの単管を専用連結具で縦横に連結して組み上げられる単管足場への具現化に向く。
【００２３】
すなわち、前記したところであるが、建築や造船などの作業現場に設けられる足場としては、寸法が統一された枠体たる門形に形成の建枠を組み上げて形成される枠組足場と、任意の長さの単管を専用連結具たる直交クランプで縦横に連結して形成される単管足場とがある。
【００２４】
そして、枠組足場は、建枠を始めとする構成資材の寸法が統一されている分、建築の作業現場での足場の形成に向き、単管足場にあっては、自由な形状の足場を組み上げられる点で、造船などの作業現場での足場の形成に向く。
【００２５】
そしてまた、これまでに、枠組足場用とされる先行手摺については、前記した特許文献１の他、たとえば、特開２００７‐１００４９５公報に開示される提案がある。
【００２６】
しかしながら、単管足場用とされる先行手摺については、これまでに全く提案がなく、その提案が望まれていたが、単管足場が枠組足場に比較して、自由な態様の足場形成に向く分、足場を形成する際の寸法上の統一性がなく、いわゆる定型化された先行手摺の提案を困難にさせている背景がある。
【００２７】
とは言え、足場の組立作業に熟練する、たとえば、足場鳶が単管足場を組み上げる際には、著しい寸法誤差を発現させずして所定の単管足場が組み上げられることも周知されている。
【００２８】
このことからすると、直交クランプを利用して単管を縦横に組み上げて形成される単管足場にあっても、寸法上で統一された手摺、すなわち、定型の先行手摺を設けることが基本的には不可能ではなく、したがって、この発明では、新たに、単管足場への利用に向く先行手摺を提供する。
【００２９】
ちなみに、足場鳶が単管足場を組み上げる際には、採寸することもあるが、足場の組立作業に熟練することもあって、縦パイプ間の寸法誤差を単管の外径（４８．６ｍｍ）に近い５０ｍｍ以内にできるので、以下に説明するように、手摺が定型に形成されても、これを取付装置に挿し込み連繋することを容易に可能にする。
【００３０】
上記した背景から、この発明による先行手摺は、まず、図１に示すように、縦に配設される単管たる縦パイプ１と横に配設される単管たる横パイプ２とを専用連結具たる直交クランプ３で連結して組み上げられる単管足場にあって、手摺１０を有し、この手摺１０は、図２，図３および図４（Ａ）に示すように、一対となる左右の支柱１１，１１に横方向に配設される桟１２を回動可能あるいは分離可能に連結してなる（図４中の仮想線図および図２参照）のを基本とする。
【００３１】
単管足場は、図１に示すように、任意の長さの単管を専用連結具たる直交クランプ３の利用で縦横に組み合わせて形成されるが、たとえば、図１中で奥側となる言わば構築物側に近隣する一面だけ形成されることは少なく、多くの場合に、図１中で手前側となる言わば構築物の外側に立設される一面との二面構造とされる。
【００３２】
そして、この発明で提案する先行手摺、すなわち、手摺１０は、足場上の作業者の安全を確保することからして、この発明にあって、足場たる単管足場は、上記の二面構造とされる。
【００３３】
そしてまた、この単管足場にあって、二面の間の間隔を一定にするために、また、二面の間に作業者の立ち入りを可能にする空間を形成し得るように、たとえば、９００ｍｍの長さの単管たる繋ぎパイプ４で二面を、すなわち、具体的には、水平方向の同レベルにある前後の横パイプ２，２同士を専用連結具たる直交クランプ３で連結する。
【００３４】
また、この種の単管足場にあっては、多くの場合に、左右となる縦パイプ１，１間および上下となる横パイプ２，２間が１８００ｍｍに、すなわち、尺貫法で言う一間に設定されるのが慣例だが、縦パイプ１，１間については、足場の形状などから１８００ｍｍより短い、たとえば、９００ｍｍとされることがある。
【００３５】
なお、単管足場の構成要件からすれば、縦パイプ１，１間が１８００ｍｍより大きくなることがない訳ではないが、このような場合には、多くの場合に、定尺とされる１８００ｍｍで一旦区切ってから、余長部に別途縦パイプ１を配設するであろう。
【００３６】
以上のように、単管足場にあっては、特に、縦パイプ１，１の間隔を自由に設定できるから、後述する手摺１０については、これに対応できるように形成されるのが好ましい。
【００３７】
ちなみに、枠組足場にあっては、相隣する枠体同士をブレスで連結して相隣する枠体の倒れを阻止するが、単管足場にあっては、図示しないが、上記した一面毎に、斜めに長尺の単管を配設して、この斜めの単管と縦パイプ１あるいは横パイプ２とを専用連結具たる自在クランプで連結して一面となる単管足場の面方向への倒れを阻止する。
【００３８】
ところで、手摺１０は、前記したように、一対となる左右の支柱１１，１１に横方向に配設される桟１２を回動可能あるいは分離可能に連結してなるのを基本とするが、同じく前記したように、この手摺１０を利用する単管足場にあっては、横方向に相隣する縦パイプ１，１間があらかじめ定尺とされる１８００ｍｍに絶対に維持されるとは限らない。
【００３９】
そこで、手摺１０は、前記したように、左右の支柱１１，１１間の間隔を不変にする伸縮不能型、すなわち、定型に形成されても良いが、好ましくは、左右の支柱１１，１１間の間隔を調整できる伸縮可能型に形成されるのが良く、具体的には、桟１２が横方向に、すなわち、横パイプ２の配在方向に伸縮可能とされるのが良い。
【００４０】
と言うのも、手摺１０にあって、左右の支柱１１，１１の間隔を変更するについては、桟１２が支柱１１に分離可能に連結される場合に、この桟１２自体を長さの異なるものと交換することでも足りるが、左右の支柱１１，１１間における間隔の変更が容易に想定される場合には、その部位を交換可能にするのではなく、伸縮可能にするのが一般的であろう。
【００４１】
また、この手摺１０において、伸縮可能にする意味は、支柱１１，１１間の間隔が大小変化しても、各支柱１１，１１の足元を所定の取付装置２０に連繋させる（図２および図４（Ａ）参照）ためであり、したがって、この観点からすれば、桟１２が鎖からなり、支柱１１，１１間の変化に対応し得るとしても良いが、手摺１０の機能からすると、可撓性のない棒状に形成されながら伸縮可能とされるのが良いだろう。
【００４２】
特に、この発明の手摺１０にあっては、図示しないが、桟１２が基端を足場上の作業者に連結させる命綱の先端を移動可能に連結させるとし、この観点からすると、桟１２が可撓性のある鎖からなるよりも可撓性のない棒状体からなるのが好ましい。
【００４３】
そして、桟１２が伸縮可能とされる態様については、任意の構造を選択でき、図示しないが、たとえば、内外のパイプ体からなり、いわゆるテレスコープ型とされるのが代表となろう。
【００４４】
ちなみに、図３中に開示する後述の中桟１３は、内外のパイプ体１３ａ，１３ｂからなり、いわゆるテレスコープ型に形成されて伸縮可能とされている。
【００４５】
ところで、この手摺１０において、支柱１１，１１は、後述するように足元が同じく後述する取付装置２０に分離可能に挿し込み連繋される（図２および図４参照）が、上記の桟１２との連結に際しては、この発明の先行手摺が盛り替え型とされることから、少なくとも支柱１１，１１の上端部に桟１２の両端部が枢着されるなどして回動可能に連結される（図４中の仮想線図および図２参照）。
【００４６】
このとき、前記したように、手摺１０が配設される縦パイプ１，１間が定尺に設定されている場合には、手摺１０における支柱１１，１１間も定尺とされて良く、したっがて、桟１２が伸縮不能とされても良い。
【００４７】
また、この手摺１０において、盛り替え自体を可能にする観点からすれば、桟１２が左右となる支柱１１，１１の上端部に回動可能でなく、分離可能に連結されても良いが、爾後に、支柱１１，１１の上端部に桟１２を連結することを鑑みると、効率良いと言い得ず、余り好ましい方策ではないであろう。
【００４８】
そして、桟１２が支柱１１，１１に対して分離可能でなく、枢着などで回動可能に連結されてなる場合には、支柱１１，１１と桟１２とが分離することがなく、したがって、たとえば、この手摺１０の盛り替えの作業中に作業者が手を滑らせるなどがあっても、いわゆる手摺１０が足場から落下するような不具合を招来しない点で有利になる。
【００４９】
なお、桟１２の両端部を支柱１１，１１の上端部に枢着、すなわち、回動可能に連結するについては、多くの場合に、桟部材１２の両端部が平打ち整形されて舌片状にされるであろう（図５（Ａ）参照）。
【００５０】
ちなみに、この端部が舌片状にされることについては、後述する中桟１３に付いての同様である（図５（Ｂ）参照）。
【００５１】
つぎに、手摺１０において、図２に示すように、左右の支柱１１，１１の上端部に両端部が連結される桟１２の下方に中桟１３を有してなるのが良く、この場合には、桟１２のみを有する場合に比較して、手摺１０における機械的強度が高められ、安全性を高められる。
【００５２】
そして、手摺１０において、この中桟１３を設ける場合には、この中桟１３の両端が支柱１１，１１に対して枢着などされて回動可能に連結されると共に、この中桟１３自体が伸縮可能とされるのが良く、のみならず、伸縮可能あるいは分離可能とされないと、手摺１０の盛り替えを実践できなくなる。
【００５３】
ところで、中桟１３が伸縮可能とされるとき、その具体的な態様については種々の構造を提案できるが、基本的には、図３に示すように、内外のパイプ体１３ａ，１３ｂからなり、いわゆるテレスコープ型とされるのが良い。
【００５４】
もっとも、図示しないが、手摺１０において支柱１１，１１間に横長角リング状に形成の桟たる枠桟、すなわち、桟１２と中桟１３を一体に有するように横長角リング状に形成の枠桟を有する場合に、この枠桟が伸縮可能とされても良い。
【００５５】
そして、前記したいずれの手摺１０にあっても、桟１２が、あるいは、中桟１３を含む桟１２が伸縮可能に形成されることで、縦パイプ１，１間が定尺化されている場合はもちろんのこと、縦パイプ１，１間が定尺化されていない場合であっても、その手摺１０が利用可能になる。
【００５６】
一方、この発明にあって、手摺１０は、左右の支柱１１，１１のいずれか一方の支柱１１の足元をこの手摺１０の面方向に折り曲げ可能にする（図２参照）一方で、各支柱１１，１１の足元が横パイプ２に保持された左右の取付装置２０にそれぞれ分離可能に挿し込み連繋される。
【００５７】
すなわち、まず、手摺１０にあって、左右の支柱１１，１１のいずれか一方の支柱１１は、足元をこの手摺１０の面方向に折り曲げ可能にし、この手摺１０が盛り替えされるときに、後述する取付装置２０に容易に連繋し得るようにしている。
【００５８】
この一方の支柱１１の足元を手摺１０の面方向に折り曲げ可能にするについては、自由な構造を選択できるが、好ましくは、いわゆるワンタッチ操作で折り曲げ可能にでき、また、棒状、すなわち、柱状に復帰可能とするのが良い。
【００５９】
図示するところでは、図６に示すように、一方の支柱１１の足元に挿し込み１４を有しており、この挿し込み１４が、図６（Ｂ）に示すように、支柱１１の柱部１１ａにおける下端部をボルトナットからなるピン１４ａで枢着させ、図６（Ａ），図６（Ｃ）および図４（Ａ）に示すように、上端に有するホルダ１４ｂの凹部に対する上記の柱部１１ａを出入り可能にし、ホルダ１４ｂに柱部１１ａが臨在されるとき柱状にその態勢を固定する定型手段たる閂１４ｃを連繋させている。
【００６０】
それゆえ、図７（Ａ）に示すように、閂１４ｃが回動操作されると、支柱１１の柱部１１ａがホルダ１４ｂの凹部から抜け出ることになり、図６（Ａ）に示すように、支柱１１の足元の折り曲げが可能になる。
【００６１】
なお、閂１４ｃは、図６（Ｂ）に示すように、その回動操作時などにホルダ１４ｂと分離されないように、角Ｕ字状に形成されながら一方の脚を長くして抜け止めのナットを螺着させている。
【００６２】
また、この閂１４ｃについては、上記した支柱１１における柱部１１ａがホルダ１４ｂの凹部からの抜け出ることを阻止する定型手段であることを鑑みれば、これに代えて、図４（Ｂ）に示すように、楔１４ｄからなるなど任意の形状のものが利用されて良い。
【００６３】
ちなみに、一方の支柱１１において、上記したように、足元が折り曲げ可能に形成されるとき、他方の支柱１１にあって、足元は曲げ可能とされない柱状に形成されていて足り（図２参照）、この手摺１０の盛り替えに妨げないこともちろんである。
【００６４】
そして、手摺１０における各支柱１１，１１にあっては、足元と、この足元が分離可能に挿し込み連繋される後述の取付装置２０におけるソケット２４との間に、このソケット２４からの足元の人為操作による以外の分離を阻止する連結手段が設けられている。
【００６５】
そして、連結手段は、図３および図４に示すように、逆向きＶ字状に形成されて支柱１１の足元を形成する下端部内に収装のバネ体Ｓと、このバネ体Ｓが有するピンＳ１と、このピンＳ１を挿通させるソケット２４に開穿の孔２４ａとからなる。
【００６６】
それゆえ、この連結手段にあっては、取付装置２０におけるソケット２４の外に先端を突出させているピンＳ１を支柱１１の下端部内に押し込むようにしてソケット２４から分離し、この状態から足元が上昇されるとき、両者の分離が可能になる。
【００６７】
そして、挿し込み１４をソケット２４に挿し込むときには、ソケット２４の上端開口に押し当てられるピンＳ１がバネ体Ｓの附勢力に打ち勝って柱部１１ａ内に没入し、挿し込み１４のソケット２４内への挿し込みを可能にする。
【００６８】
それゆえ、以上のように形成される手摺１０にあっては、先行手摺として上段の足場を構成する骨組みに設けられる際にあって、一対となる左右の支柱１１，１１における足元を足場の骨組みの構成資材たる単管に保持される後述の取付装置２０に分離可能に挿し込み連繋するから、手摺１０を構成する左右の支柱１１，１１における足元にあらかじめ取付装置が一体に設けられている場合に比較して、先行１０における組付性や取扱性、さらには、収納性を良くする。
【００６９】
すなわち、手摺１０において、左右の支柱１１，１１の足元に言わば余計なものを一体に有しないから、この手摺１０を搬送したり足場の骨組みに組み付けたりする、たとえば、足場鳶などの作業者にとって、組み付け易く、また、扱い易くなる。
【００７０】
そして、手摺１０において、左右の支柱１１，１１の足元に取付装置を有しないから、この手摺１０の再利用に備えてする手入れが容易になり、また、収納の際しても、取付装置を有しないがゆえに納まりを悪くせずして収納性を良くする。
【００７１】
一方、取付装置２０は、図４および図８に示すように、本体部２１と、フック部２２と、ホルダ部２３と、ソケット２４とを有し、縦パイプ１と横パイプ２とからなる単管足場に保持されている。
【００７２】
本体部２１は、基本的には、縦パイプ１を臨在させる凹部２１ａを有しながら横パイプ２に沿う態様に形成されており、図示するところでは、中央部に凹部２１ａを有している。
【００７３】
つまり、この発明の取付装置２０にあっては、基本的には、手摺１０における一対となる左右の支柱１１，１１の足元をそれぞれ挿し込み連繋させるものであれば良く、その限りには、一個の取付装置２０が二本の支柱１１における足元の挿し込みを可能にするように構成されている必要はない。
【００７４】
その意味で、この発明における取付装置２０は、基本的には、一本の支柱１１における足元の挿し込みを可能にするように構成されていれば足りるとする。
【００７５】
フック部２２は、基本的には、本体部２１の端部に一体に連設されて横パイプ２に上方から係合して本体部２１を横パイプ２に吊持させるもので、図示するところでは、本体部２１の両端部に設けられている。
【００７６】
ホルダ部２３は、本体部２１に一体に連設されながら上記の凹部２１ａに臨在する縦パイプ１を臨在させるもので、図示するところでは、上記の凹部２１ａが本体部２１の中央部に形成されるから、これに起因して本体部２１の中央部に設けられている。
【００７７】
そして、このホルダ部２３は、補助手段の利用で本体部２１における凹部２１ａからの縦パイプ１のラジアル方向への抜け出しを阻止するもので、補助手段は、図７（Ｃ）に示すように、楔２５からなる。
【００７８】
そして、この補助手段については、上記した楔２５からなることに代えて、図示しないが、螺着されるボルト、もしくは、抜け止め構造のピンからなるとしても良い。
【００７９】
なお、ホルダ部２３は、図示するところにあって、本体部２１の下端に一体に連設されてなるとするが、このホルダ部２３が機能するところからすると、図示しないが、これに代えて、ホルダ部２３が本体部２１におけるの上端から下端に至る任意位置に設けられて良い。
【００８０】
ソケット２４は、基本的には、本体部２１の端部に一体に連設されて手摺１０における支柱１１の足元を分離可能に挿し込み連繋させるもので、から、これに起因して本体部２１の左右に設けられている。
【００８１】
以上のように形成される取付装置２０にあっては、本体部２１が凹部２１ａに縦パイプ１を臨在させるから、この縦パイプ１に対して横方向に位置ずれせず、また、本体部２１がフック部２２で横パイプ２に吊持されるから、この横パイプ２に対して下降せず、それゆえ、取付装置２０が単管足場の所定位置に固定状態に配設され、したがって、本体部２１が有するソケット２４への手摺１０における支柱１１，１１の足元の挿し込み連繋を可能にする。
【００８２】
なお、手摺１０にあっては、左右の支柱１１，１１に横方向に配設される桟１２を回動可能あるいは分離可能に連結してなるから、手摺１０において、まず、一方の支柱１１における足元を取付装置２０におけるソケット２４から抜き出し分離して、上段となる横パイプ２に保持された取付装置２０における相応のソケット２４に挿し込み連繋し、ついで、他方の支柱１１における足元を取付装置２０におけるソケット２４から抜き出し分離して、上段となる横パイプ２に保持された上記の取付装置２０における相応のソケット２４に挿し込み連繋することで、いわゆる盛り替えを可能にし得る。
【００８３】
そして、前記したように、この発明にあっては、手摺１０を先行手摺として上段の足場の骨組みに設ける際に、手摺１０が取付装置を一体に有しないから、先行１０における組付性や取扱性、さらには、収納性を良くし、また、たとえば、足場鳶などの作業者にとって、組み付け易く、また、扱い易くなり、この手摺１０の再利用に備えてする手入れを容易にし、また、収納の際しても、取付装置を有しないがゆえに納まりを悪くせずして収納性を良くする。
【００８４】
前記したところでは、手摺１０が桟１２を有し、この桟１２への作業者が装備する安全ベルトに連結の命綱を連繋可能にするが、このとき、命綱の先端は、桟１２にスライド移動可能に介装される連繋具に連結されるのが良い。
【００８５】
そして、この連繋具が相隣する手摺１０における桟１２間をスライド移動できるとする場合には、足場における作業者の行動範囲を広くするが、このときには、取付装置２０において、連繋させる単管足場における縦パイプ１と手摺１０における左右の支柱１１，１１が一直線状に並ぶと、上記の連繋具のスライド移動を具現化できなくなる可能性があるので、実際には、桟１２と縦パイプ１とが一直線上に並ばないようにする配慮を要す。
【図面の簡単な説明】
【００８６】
【図１】この発明による先行手摺を具現化した単管足場を示す概略斜視図である。
【図２】この発明による先行手摺の盛り替え動作を示す正面図である。
【図３】手摺の正面図である。
【図４】（Ａ）は、手摺と取付装置を示す斜視図で、（Ｂ）は、定型手段の他の実施形態を示す部分斜視図ある。
【図５】（Ａ）は、手摺における桟の端部を示す部分正面図で、（Ｂ）は、手摺における中桟の両端部を示す部分正面図である。
【図６】（Ａ）は、支柱の折り畳み可能に形成された足元を示す部分正面図で、（Ｂ）は、部分側面図、（Ｃ）は、ホルダの平面図である。
【図７】取付装置を示し、（Ａ）は、平面図、（Ｂ）は、正面図、（Ｃ）は、底面図弛み止め機構を拡大して示す縦支柱の一部縦断面図である。
【図８】取付装置の単管足場への保持状態を示す斜視図である。
【符号の説明】
【００８７】
１  縦パイプ
２  横パイプ
３  専用連結具たる直交クランプ
４  繋ぎパイプ
１０  手摺
１１  支柱
１１ａ  柱部
１２  桟
１３  中桟
１４  支柱の足元を構成する挿し込み
１４ｃ  定型手段たる閂
１４ｄ  定型手段たる楔
２０  取付装置
２１  本体部
２１ａ  凹部
２２  フック部
２３  ホルダ部
２４  ソケット
２４ａ  連結手段を構成する孔
２５  補助手段たる楔
Ｓ  連結手段を構成するバネ体
Ｓ１  連結手段を構成するピン
【図１】
2010024657.tif 000003
【図２】
2010024657.tif 000004
【図３】
2010024657.tif 000005
【図４】
2010024657.tif 000006
【図５】
2010024657.tif 000007
【図６】
2010024657.tif 000008
【図７】
2010024657.tif 000009
【図８】
2010024657.tif 000010